(57)【要約】【課題】低コストで、セメントキルン燃焼排ガスに含まれるダストから効率よく水銀を回収する。【解決手段】セメントキルンダストＫＤを、高温ダスト（加熱用ダスト）ＨＤと混合しながら加熱用ダストの顕熱によって加熱する混合装置２と、混合加熱によって揮発した水銀を回収する水銀回収装置７とを備えるセメントキルンダストからの水銀回収システム１。混合装置の後段に、セメントキルンダストと加熱用ダストとの混合物Ｍを流動化させ、粗粉Ｄ１と、微粉Ｄ２を含むガスＧ１とに分離する振動流動層式分級機３を設け、振動流動層式分級機で分離した微粉を含むガスに含まれる水銀を水銀回収装置で回収することができる。加熱用ダストは、セメント焼成装置のプレヒータから分取したセメント原料又は／及び塩素バイパスダストの粗粉とすることができる。【選択図】図１
2014058699.tif 000002
【特許請求の範囲】
【請求項１】
セメントキルンダストを、加熱用ダストと混合しながら該加熱用ダストの顕熱によって加熱する混合装置と、
該混合加熱によって揮発した水銀を回収する水銀回収装置とを備えることを特徴とするセメントキルンダストからの水銀回収システム。
【請求項２】
前記混合装置の後段に、前記セメントキルンダストと加熱用ダストとの混合物を流動化させ、粗粉と、微粉を含むガスとに分離する振動流動層式分級機を設け、該振動流動層式分級機で分離した微粉を含むガスに含まれる水銀を前記水銀回収装置で回収することを特徴とする請求項１に記載のセメントキルンダストからの水銀回収システム。
【請求項３】
前記振動流動層式分級機の後段に、前記振動流動層式分級機から排出されたガスに含まれる微粉を捕集する集塵装置を設け、該集塵装置で微粉を捕集した後のガスに含まれる水銀を前記水銀回収装置で回収することを特徴とする請求項２に記載のセメントキルンダストからの水銀回収システム。
【請求項４】
セメントキルンダストを、加熱用ダストと混合しながら該加熱用ダストの顕熱によって加熱し、
該混合加熱によって揮発した水銀を回収することを特徴とするセメントキルンダストからの水銀回収方法。
【請求項５】
前記加熱用ダストは、セメント焼成装置のプレヒータから分取したセメント原料又は／及び塩素バイパスダストの粗粉であることを特徴とする請求項４に記載のセメントキルンダストからの水銀回収方法。
【発明の詳細な説明】
【技術分野】
【０００１】
本発明は、セメントキルン燃焼排ガスに含まれるダストから水銀を回収するシステム及び方法に関する。
【背景技術】
【０００２】
セメントキルン燃焼排ガスには、極微量の金属水銀（Ｈｇ）が含まれている。その起源は、セメントの主原料である石灰石等の天然原料が含有する水銀の他、フライアッシュ等の多品種にわたるリサイクル資源に含まれる水銀である。今後、廃棄物のセメント原料化及び燃料化によるリサイクルが推進され、廃棄物の処理量が増加するに従い、セメントキルン燃焼排ガス中の水銀濃度が増加する可能性が考えられる。
【０００３】
しかし、セメントキルン燃焼排ガスに低濃度で含まれる水銀を、多量の排ガスから除去することは極めて困難であり、セメントキルン燃焼排ガス中の水銀が増加すると、大気汚染の原因となる虞があるとともに、フライアッシュ等のリサイクル資源利用拡大の阻害要因となる虞もある。
【０００４】
そこで、例えば、特許文献１には、セメントキルン燃焼排ガス中に含まれる水銀等を除去し、水銀等を除去した集塵ダストをセメント原料に再利用するため、セメントキルン燃焼排ガスに含まれるダストを集塵し、集塵によって得られたダストをセメント焼成設備のクリンカクーラーの排ガスを用いて加熱し、加熱によって揮発した水銀を回収するセメントキルン燃焼排ガスの処理方法が提案されている。
【先行技術文献】
【特許文献】
【０００５】
【特許文献１】特開２０１１−８８７７０号公報
【発明の概要】
【発明が解決しようとする課題】
【０００６】
しかし、上記特許文献１に記載の処理方法では、水銀回収装置において、集塵ダストに排ガスを接触させるために十分な容積を確保する必要があるため、装置が大型化し、設備コスト及び運転コストが高くなるという問題があった。
【０００７】
そこで、本発明は、低コストで、セメントキルン燃焼排ガスに含まれるダストから効率よく水銀を回収することのできるシステム及び方法を提供することを目的とする。
【課題を解決するための手段】
【０００８】
上記目的を達成するため、本発明は、セメントキルンダストからの水銀回収システムであって、セメントキルンダストを、加熱用ダストと混合しながら該加熱用ダストの顕熱によって加熱する混合装置と、該混合加熱によって揮発した水銀を回収する水銀回収装置とを備えることを特徴とする。
【０００９】
そして、本発明によれば、セメントキルンダストを、加熱用ダストを用いて加熱するため、高温ガスの気流中で加熱する場合と比較して水銀回収装置を小型化することができ、設備コスト及び運転コストを低く抑えることができる。
【００１０】
上記セメントキルンダストからの水銀回収システムにおいて、前記混合装置の後段に、前記セメントキルンダストと加熱用ダストとの混合物を流動化させ、粗粉と、微粉を含むガスとに分離する振動流動層式分級機を設け、該振動流動層式分級機で分離した微粉を含むガスに含まれる水銀を前記水銀回収装置で回収することができる。振動流動層式分級機により、セメントキルンダストに含まれる水銀の揮発を促進すると共に、セメントキルンダストの飛散を防止してそのほとんどを分取し、後段の集塵装置等に送られる微粉の量を最小限に抑え、集塵装置等の装置能力を低く抑えることができる。
【００１１】
さらに、前記振動流動層式分級機の後段に、前記振動流動層式分級機から排出されたガスに含まれる微粉を捕集する集塵装置を設け、該集塵装置で微粉を捕集した後のガスに含まれる水銀を前記水銀回収装置で回収することができ、水銀回収装置への微粉の進入を最小限に抑え、水銀回収装置での水銀回収効率を高めることができる。
【００１２】
また、本発明は、セメントキルンダストからの水銀回収方法であって、セメントキルンダストを、加熱用ダストと混合しながら該加熱用ダストの顕熱によって加熱し、該混合加熱によって揮発した水銀を回収することを特徴とする。本発明によれば、上記発明と同様に、高温ガスの気流中で加熱する場合と比較して水銀の回収に伴う設備を小型化することができ、水銀の回収に要するコストを低く抑えることができる。
【００１３】
上記セメントキルンダストからの水銀回収方法において、前記加熱用ダストとして、セメント焼成装置のプレヒータから分取したセメント原料又は／及び塩素バイパスダストの粗粉を利用することができ、セメント焼成装置から容易に入手可能な高温ダストを利用して効率よく水銀を回収することができる。
【発明の効果】
【００１４】
以上のように、本発明によれば、低コストで、セメントキルン燃焼排ガスに含まれるダストから効率よく水銀を回収することができる。
【図面の簡単な説明】
【００１５】
【図１】本発明に係るセメントキルンダストからの水銀回収システムの第１の実施形態を示す全体構成図である。
【図２】本発明に係るセメントキルンダストからの水銀回収システムの第２の実施形態を示す全体構成図である。
【発明を実施するための形態】
【００１６】
次に、本発明の実施の形態について、図面を参照しながら詳細に説明する。
【００１７】
図１は、本発明にかかるセメントキルンダストからの水銀回収システム（以下、「水銀回収システム」という）の第１の実施形態を示し、この水銀回収システム１は、セメント焼成装置に付設され、セメントキルン排ガスを集塵して得られたセメントキルンダスト（以下、「キルンダスト」という）ＫＤと、高温ダスト（加熱用ダスト）ＨＤとを混合するパグミル２と、パグミル２によって混合された混合物Ｍを流動化させ、粗粉Ｄ１と、微粉Ｄ２を含むガスＧ１とに分離する振動流動層式分級機３と、振動流動層式分級機３から排出されるガスＧ１に含まれる微粉Ｄ２を集塵する電気集塵機５と、電気集塵機５から排出されたガスＧ２に含まれる水銀を回収する水銀回収装置７等で構成される。
【００１８】
パグミル２は、密閉式の混合装置であって、キルンダストＫＤと、高温ダストＨＤとを混合するために設けられる。このパグミル２に供給する高温ダストＨＤとしては、セメント焼成装置のプレヒータから分取したセメント原料や、塩素バイパスダストの粗粉を用いることができる。尚、これらは、セメント焼成装置から容易に入手できて好ましいが、キルンダストＫＤに含まれる水銀を揮発させることができる顕熱を有するものであれば、その他のダスト等を使用することもできる。
【００１９】
振動流動層式分級機３は、パグミル２から供給される混合物Ｍに振動を加えて流動化させ、粗粉Ｄ１と、微粉Ｄ２とを含むガスＧ１とに分離するために設けられる。この振動流動層式分級機３は、多数の穴が穿設された、キルンダストＫＤを流動化するための分散板３ａを備え、パグミル２から供給される混合物Ｍの粗粉Ｄ１を下方へ落下させて回収し、粗粉Ｄ１よりも軽い微粉Ｄ２と、キルンダストＫＤから揮発した水銀とをファン４より供給される微量のキャリアエアによって上方から排出する。
【００２０】
電気集塵機５は、振動流動層式分級機３からのガスＧ１に含まれる微粉Ｄ２を集塵するために設けられ、９００℃程度までの耐熱性を有する高耐熱型の電気集塵機であることが好ましい。尚、高耐熱型の電気集塵機に代えて、高耐熱型のバッグフィルタ等を用いることもできる。
【００２１】
水銀回収装置７は、電気集塵機５から排出されたガスＧ２中の水銀を除去するために備えられる。水銀回収装置７の前段には、ガスＧ２の温度を活性炭に通ガス可能な温度（例えば１００℃程度）に低下させるための冷却空気を吹き込むためのファン６が設けられる。水銀回収装置７には、例えば、活性炭等を用いて水銀を吸着して回収する活性炭吸着塔等を使用することができ、使用される活性炭としては、市販の活性炭において、より水銀除去能力に優れる活性炭を選定することが望ましく、水銀吸着用として調整された硫黄添着処理が施されている活性炭が好適である。尚、活性炭吸着塔以外の水銀回収装置を用いてもよい。
【００２２】
キルンダストＫＤとは、上述のように、セメントキルン排ガスを集塵して得られたダストであるが、より詳しくは、セメントキルン燃焼排ガスは、セメントキルンの窯尻部、仮焼炉を経てプレヒータから排出され、プレヒータ排ガスをファン等を介して電気集塵装置（又はバッグフィルタ等）に導入されるが、この電気集塵装置等で捕集されたダストである。
【００２３】
次に、上記構成を有する水銀回収システム１の動作について、図１を参照しながら説明する。
【００２４】
まず、パグミル２にキルンダストＫＤと高温ダストＨＤを投入して混合し、この高温ダストＨＤの顕熱によってキルンダストＫＤに含まれる水銀の一部を揮発させる。パグミル２からの混合物Ｍを振動流動層式分級機３に供給し、混合物Ｍを流動化させ、ファン４からのキャリアエアによって水銀の揮発を促進しながら、粗粉Ｄ１と、微粉Ｄ２を含むガスＧ１とに分離する。振動流動層内で沈降した粗粉Ｄ１をスクリューコンベア等の移送装置で振動流動層式分級機３から排出し、微粉Ｄ２及び揮発した水銀を含むガスＧ１を振動流動層式分級機３の上部から排出する。回収した粗粉Ｄ１は、セメント焼成装置のプレヒータや、原料サイロに投入してセメント原料として使用することができる。
【００２５】
一方、振動流動層式分級機３からの微粉Ｄ２及びガスＧ１は、電気集塵機５に導入され、微粉Ｄ２が捕集される。電気集塵機５で回収された微粉Ｄ２は、上記粗粉Ｄ１と同様、セメント原料として使用することができる。
【００２６】
電気集塵機５から排出されたガスＧ２は、ファン６によって冷却された後、水銀回収装置７に導入され、ガスＧ２中の水銀が活性炭に吸着回収される。水銀回収装置７において水銀が回収され、無害化したガスＧ３は大気に放出するか、セメントキルンの排ガス処理系に戻す。
【００２７】
次に、本発明に係るセメントキルンダストからの水銀回収システムの第２の実施形態について、図２を参照しながら説明する。
【００２８】
この水銀回収システム１１は、セメント焼成装置に付設され、キルンダストＫＤと、高温ダストＨＤとを混合するパグミル２と、パグミル２にて混合された混合物Ｍを流動化させ、粗粉Ｄ１と、微粉Ｄ２を含むガスＧ１とに分離する振動流動層式分級機３と、振動流動層式分級機３から排出されるガスＧ１に含まれる微粉Ｄ２を集塵する電気集塵機５と、電気集塵機５から排出されたガスＧ２に含まれる水銀を酸化するＴｉＶ触媒塔８と、ＴｉＶ触媒塔８から排出されたガスＧ４から塩化水銀（ＨｇＣｌ２）を水に捕捉して回収する湿式スクラバ９と、湿式スクラバ９の排水Ｗ１に溶解した水銀を吸着除去するキレート樹脂１０等で構成される。尚、パグミル２から高温集塵機５までの装置は、図１の水銀回収システム１と同様であるため、詳細な説明を省略する。
【００２９】
次に、上記構成を有するセメントキルンダストからの水銀回収システム１１の動作について、図２を参照しながら説明する。尚、上述のように、電気集塵機５までの設備は、図１の水銀回収システム１と同様であるため、電気集塵機５以降の動作についてのみ説明する。
【００３０】
電気集塵機５から排出されたガスＧ２は、水銀を酸化するための塩化水素（ＨＣｌ）が添加された後、ＴｉＶ触媒塔８に導入され、ガスＧ２中のＮＯｘ、ダイオキシン類が分解される。次いで、ＴｉＶ触媒塔８からの排ガスＧ４は、湿式スクラバ９に供給され、排ガスＧ４に水を噴霧してスラリー化し、さらにｐＨ調整剤、塩等を添加し、水銀を含む重金属を沈澱させ、重金属スラッジＳとして取り除く。無害化した湿式スクラバ９からのガスＧ５は大気に放出するか、セメントキルンの排ガス処理系に戻す。
【００３１】
一方、湿式スクラバ９において重金属スラッジＳが取り除かれた排水Ｗ１に残留する水銀をキレート樹脂１０と接触させて吸着除去する。無害化した排水Ｗ２は放流するか
、一部を湿式スクラバ９にて再利用する。
【００３２】
以上のように、上記第１及び第２の実施形態によれば、高温ダストの顕熱によってセメントキルンダストを加熱するため、キルンダストを気流中で加熱する場合と比較して水銀回収装置を小型化することができる。また、振動流動層式分級機を採用することで、揮発した水銀を少量のキャリアエアで効率よく搬送することができ、低コストで水銀を回収することができる。
【００３３】
また、上記高温ダストとの混合に加え、高温ガスによる気流加熱を併用してセメントキルンダストから水銀を揮発させてもよい。
【符号の説明】
【００３４】
１  水銀回収システム
２  パグミル
３  振動流動層式分級機
３ａ  分散板
４  ファン
５  電気集塵機
６  ファン
７  水銀回収装置
８  ＴｉＶ触媒塔
９  湿式スクラバ
１０  キレート樹脂
１１  水銀回収システム
Ｄ１  粗粉
Ｄ２  微粉
Ｇ１〜Ｇ５ ガス
ＨＤ  高温ダスト
ＫＤ  キルンダスト
Ｍ  混合物
Ｓ  重金属スラッジ
Ｗ１、Ｗ２  排水
【図１】
2014058699.tif 000003
【図２】
2014058699.tif 000004